(57)【要約】【課題】箱外面に貼着させてあるフィルム状資材を剥がしても、外観が低下し難い紙箱を提供する。【解決手段】フィルム状資材１が剥離可能に箱外面に貼着される紙箱であって、フィルム状資材の箱外面に対する貼着予定領域Ａ，Ｂの外周部に沿って、ミシン目１３を設けてある。【選択図】図２
2008007133.tif 000002
【特許請求の範囲】
【請求項１】
フィルム状資材が剥離可能に箱外面に貼着される紙箱であって、
前記フィルム状資材の前記箱外面に対する貼着予定領域の外周部に沿って、ミシン目を設けてある紙箱。
【請求項２】
前記貼着予定領域の境界を表示する境界表示マークを、前記箱外面に印刷してあり、
前記貼着予定領域から離間させて、前記ミシン目を設けてある請求項１記載の紙箱。
【請求項３】
前記フィルム状資材を剥離自在に貼着させる剥離層を、前記貼着予定領域の端部に設けてある請求項１又は２記載の紙箱。
【請求項４】
前記貼着予定領域から離れた箇所の箱外面に、箱内の物品に関する情報を印刷してある情報印刷領域を設けてあり、
前記貼着予定領域と前記情報印刷領域との間に位置させて、前記ミシン目を設けてある請求項１〜３のいずれか１項記載の紙箱。
【発明の詳細な説明】
【技術分野】
【０００１】
本発明は、フィルム状資材が剥離可能に箱外面に貼着される紙箱に関する。
【背景技術】
【０００２】
従来、例えば折り畳み可能な紙製段ボール箱では、箱状に組み立てた状態で箱底部分や箱蓋部分などに粘着テープなどのフィルム状資材を貼着させて、箱形状を保持することや、貼着用粘着層を一側面に設けてあるラベルなどのフィルム状資材を必要に応じて箱外面に貼着させることが行われている。
また、不要になった段ボール箱を折り畳み状態で保管しておいて、必要に応じて箱状に組み立て直して再使用することや、ラベルを必要に応じて張り替えて使用することも行われている。
いずれも、周知慣用技術であり、先行技術文献情報を開示することができない。
【発明の開示】
【発明が解決しようとする課題】
【０００３】
このため、不要になった紙箱を折り畳み状態で保管する際には、箱底部分や箱蓋部分などに貼着させた粘着テープを剥がす必要があり、また、ラベルを張り替える際には、箱外面に貼着させてある不要なラベルを剥がす必要があるが、粘着テープやラベルなどのフィルム状資材を箱外面から剥がすに伴って、フィルム状資材が貼着している貼着領域の紙表面部分だけでなく、その貼着領域周りの紙表面部分まで一体に剥がれてしまって、紙箱の外観が低下し易い欠点がある。
本発明は上記実情に鑑みてなされたものであって、箱外面に貼着させてあるフィルム状資材を剥がしても、外観が低下し難い紙箱を提供することを目的とする。
【課題を解決するための手段】
【０００４】
本発明の第１特徴構成は、フィルム状資材が剥離可能に箱外面に貼着される紙箱であって、前記フィルム状資材の前記箱外面に対する貼着予定領域の外周部に沿って、ミシン目を設けてある点にある。
【０００５】
〔作用及び効果〕
フィルム状資材の箱外面に対する貼着予定領域の外周部に沿って、一連の切れ目を設けるような場合に比べて、箱強度を低下させにくいミシン目を設けてあるので、フィルム状資材を貼着予定領域に貼着させておけば、そのフィルム状資材を箱外面から剥がすに伴って、そのフィルム状資材が貼着している貼着領域周りの紙表面部分が一体に剥がれようとしても、その紙表面部分がミシン目に沿って千切れ易い。
従って、貼着予定領域の箱外面に貼着させてあるフィルム状資材を剥がしても、そのフィルム状資材を剥がすに伴う、貼着領域周りの紙表面部分の剥がれの拡大を防止することができ、外観が低下し難い。
【０００６】
本発明の第２特徴構成は、前記貼着予定領域の境界を表示する境界表示マークを、前記箱外面に印刷してあり、前記貼着予定領域から離間させて、前記ミシン目を設けてある点にある。
【０００７】
〔作用及び効果〕
貼着予定領域の境界を表示する境界表示マークを、箱外面に印刷してあるので、フィルム状資材を貼着予定領域からはみ出さないように正確に貼着させ易く、また、貼着予定領域から離間させてミシン目を設けてあるので、貼着予定領域に貼着させてあるフィルム状資材を剥がすに伴う、貼着領域周りの紙表面部分の剥がれの拡大を確実に防止することができる。
【０００８】
本発明の第３特徴構成は、前記フィルム状資材を剥離自在に貼着させる剥離層を、前記貼着予定領域の端部に設けてある点にある。
【０００９】
〔作用及び効果〕
フィルム状資材を剥離自在に貼着させる剥離層を、貼着予定領域の端部に設けてあるので、貼着予定領域に貼着させてあるフィルム状資材を、紙表面部分が剥がれないように、その端部から剥離し易い。
【００１０】
本発明の第４特徴構成は、前記貼着予定領域から離れた箇所の箱外面に、箱内の物品に関する情報を印刷してある情報印刷領域を設けてあり、前記貼着予定領域と前記情報印刷領域との間に位置させて、前記ミシン目を設けてある点にある。
【００１１】
〔作用及び効果〕
貼着予定領域から離れた箇所の箱外面に、箱内の物品に関する情報を印刷してある情報印刷領域を設けてあるので、箱内の物品に関する情報を取得し易いのであるが、貼着予定領域と情報印刷領域との間に位置させてミシン目を設けてあるので、貼着予定領域に貼着させてあるフィルム状資材を剥がすに伴う、情報印刷領域における紙表面部分の剥がれを防止することができ、紙箱を繰り返し使用しても、箱内の物品に関する情報を取得し易い。
【発明を実施するための最良の形態】
【００１２】
以下に本発明の実施の形態を図面に基づいて説明する。
〔第１実施形態〕
図１〜図３は、樹脂フィルム製基材の一側面に貼着用粘着層を設けてある粘着テープ１ａや粘着ラベル１ｂなどのフィルム状資材１が粘着力によって剥離可能に箱外面に対して貼着される本発明による折り畳み可能な紙箱を示し、この紙箱は、図４に示すように、波板状に成形してある紙製中芯２の両面に紙製ライナ３を張り合わせてある両面段ボール４で構成してある。
【００１３】
前記紙箱は、図１に示すように、矩形筒状に組み立ててある胴部５の胴長手方向両縁部の夫々に、互いに対向する一対の矩形の内フラップ６と、互いに対向する一対の矩形の外フラップ７とを延設してある。
【００１４】
そして、一方の縁部において、一対の内フラップ６を互いに対向する方向に折り込んでその遊端部どうしを突き合わせた後、一対の外フラップ７をそれらの内フラップ６に重なるように互いに対向する方向に折り込んで、その遊端部どうしを突き合わせた状態で、その突合せ部に沿って、両外フラップ７と胴部５とに亘って粘着テープ１ａを粘着させて箱底部分８を形成することにより、図２に示すように、物品を収納可能な箱状に保形できるように構成してある。
【００１５】
また、箱底部分８を形成して箱状に保形してある状態で、他方の縁部において、箱底部分８と同様に、一対の内フラップ６を折り込んでその遊端部どうしを突き合わせた後、一対の外フラップ７を折り込んで、その遊端部どうしを突き合わせた状態で、その突合せ部に沿って、両外フラップ７と胴部５とに亘って粘着テープ１ａを粘着させて箱蓋部分９を形成することにより、図３に示すように、物品を箱内に梱包できるように構成してある。
【００１６】
前記紙箱の箱外面には、粘着テープ１ａの箱外面に対するテープ貼着予定領域Ａの境界を表示するテープ用境界表示マーク１０と、粘着ラベル１ｂの箱外面に対するラベル貼着予定領域Ｂの境界を表示するラベル用境界表示マーク１１とを、各貼着予定領域Ａ，Ｂを略全周に亘って囲むように印刷してあり、これらの境界表示マーク１０，１１のいずれからも離れた箇所の箱外面に、物品名や収納数量などの箱内の物品に関する物品情報を印刷してある情報印刷領域１２（１２ａ，１２ｂ）を設けてある。
【００１７】
前記テープ用境界表示マーク１０は、左右の内フラップ６を延設してある胴部部分５ａと左右の外フラップ７における箱外面に分散して印刷してあり、ラベル用境界表示マーク１１は、外フラップ７を延設してある胴部部分５ｂにおける箱外面に印刷してあり、情報印刷領域１２は、内フラップ６を延設してある胴部部分５ａにおける箱外面と、一方の外フラップ７における箱外面との夫々に設けてある。
【００１８】
そして、テープ貼着予定領域Ａに貼着してある粘着テープ１ａがその長手方向一端側から引き剥がされることを想定して、テープ貼着予定領域Ａの外周部のうちの長手方向両端部の外周部に沿って、テープ貼着予定領域Ａから離間させて、つまり、テープ用境界表示マーク１０から離間させて、かつ、胴部部分５ａにおけるテープ貼着予定領域Ａと情報印刷領域１２ａとの間に位置させてミシン目１３をコの字状に設けてある。
【００１９】
前記テープ貼着予定領域Ａの外周部のうちの長手方向中間の一側側外周部に沿って、テープ貼着予定領域Ａから離間させて、つまり、テープ用境界表示マーク１０から離間させて、かつ、外フラップ７におけるテープ貼着予定領域Ａと情報印刷領域１２ｂとの間に位置させてミシン目１３を直線状に設けてある。
【００２０】
また、ラベル貼着予定領域Ｂの外周部に沿って、ラベル貼着予定領域Ｂから離間させて、つまり、ラベル用境界表示マーク１１から離間させて、かつ、ラベル貼着予定領域Ｂと情報印刷領域１２ａ，１２ｂとの間に位置させてミシン目１３を略全周に亘って設けてある。
【００２１】
前記ミシン目１３は、図４に示すように、段ボール４を構成している外側ライナ３ａに形成してあり、図５に示すように、小孔１４を外側ライナ３ａに略一定間隔を隔てて形成して構成してあっても、図６に示すように、短い切れ目１５を外側ライナ３ａに略一定間隔を隔てて形成して構成してあっても良い。
【００２２】
〔第２実施形態〕
図７は、本発明による紙箱の別実施形態を示し、テープ貼着予定領域Ａの長手方向両端部に、粘着テープ１ａの端部を剥離自在に貼着させる剥離層１６を設けてある。
その他の構成は第１実施形態と同様である。
【００２３】
〔その他の実施形態〕
１．本発明による紙箱は、貼着予定領域の外周部に沿って、その全周に亘ってミシン目を設けてあっても良い。
２．本発明による紙箱は、貼着予定領域の境界の一部のみを表示する境界表示マークを箱外面に印刷してあっても良い。
３．本発明による紙箱は、貼着予定領域の境界にミシン目を設けてあっても良い。
４．本発明による紙箱は、紙製基材の一側面に粘着層を設けてあるフィルム状資材が剥離可能に箱外面に貼着される紙箱であっても良い。
５．本発明による紙箱は、紙箱を形成している紙製資材の外側に向ける表面にのみミシン目を設けてあっても、紙製資材を貫通する状態でミシン目を設けてあっても良い。
６．本発明による紙箱は、樹脂製や紙製のフィルム状資材が粘着材以外の糊などの接着剤で剥離可能に箱外面に貼着される紙箱であっても良い。
７．本発明による紙箱は、板紙で構成してある紙箱であっても良い。
８．本発明による紙箱は、物品梱包用の紙箱であっても、物品保管用の紙箱であっても良い。
【図面の簡単な説明】
【００２４】
【図１】紙箱の斜視図
【図２】紙箱の斜視図
【図３】紙箱の斜視図
【図４】要部の断面図
【図５】要部の平面図
【図６】要部の平面図
【図７】第２実施形態を示す斜視図
【符号の説明】
【００２５】
１  フィルム状資材
１０  境界表示マーク
１１  境界表示マーク
１２  情報印刷領域
１３  ミシン目
１６  剥離層
Ａ  貼着予定領域
Ｂ  貼着予定領域
【図１】
2008007133.tif 000003
【図２】
2008007133.tif 000004
【図３】
2008007133.tif 000005
【図４】
2008007133.tif 000006
【図５】
2008007133.tif 000007
【図６】
2008007133.tif 000008
【図７】
2008007133.tif 000009